(57)【要約】  【課題】  遠隔操作装置の機能が本来のものと異なっている場合であっても、遠隔操作装置の操作通りの機能の設定を行える空気調和システム、遠隔操作装置及び空気調和機を提供する。  【解決手段】  遠隔操作装置であるリモコン３，５，７の記憶部には、各リモコンの仕様を特定する第１フラグ情報及び第２フラグ情報が記憶されている。制御部は、この第１フラグ情報及び第２フラグ情報に基づいて特定信号を生成し、操作信号に付加して、操作信号送信部から空気調和機１へ送信する。空気調和機１は、リモコン３，５，７から送信された操作信号に付加された特定信号に基づいて、記憶部に記憶されている複数の設定仕様のうちから特定信号に適合する設定仕様を選択する。これにより、リモコン３，５，７の機能が、空気調和機本来のものと異なっている場合であっても、空気調和機１には、遠隔操作装置３，５，７の操作通りの機能が設定される。【選択図】        図１
2006194523.tif 000002
【特許請求の範囲】
【請求項１】
仕様の異なる複数の遠隔操作装置から空気調和機へ操作信号を送信して、前記空気調和機の操作を行う空気調和システムにおいて、
前記遠隔操作装置は、該遠隔操作装置の仕様を特定する特定信号を前記操作信号に付加する手段を備え、
前記空気調和機は、同一の機能に対して複数の異なる設定仕様を記憶する手段と、
前記遠隔操作装置から送信された操作信号に付加された特定信号に基づいて、前記複数の設定仕様のうちから適合する設定仕様を選択する手段とを備えること
を特徴とする空気調和システム。
【請求項２】
前記空気調和機は、運転の開始及び停止を指定時刻に行うタイマー機能を有しており、
前記複数の遠隔操作装置には、前記空気調和機の運転開始時刻及び運転停止時刻の両方を設定できる仕様の遠隔操作装置と、
前記空気調和機の運転開始時刻又は運転停止時刻の一方しか設定できない仕様の遠隔操作装置とが存在し、
各遠隔操作装置は、操作信号にそれぞれの仕様を特定する特定信号を付加し、
前記空気調和機は、特定信号に基づいてそれぞれの仕様を判別すること
を特徴とする請求項１に記載の空気調和システム。
【請求項３】
前記複数の遠隔操作装置には、前記空気調和機に設定されている運転開始時刻及び運転停止時刻の両方を同時に解除できる仕様の遠隔操作装置と、
前記空気調和機に設定されている運転開始時刻又は運転停止時刻を１つずつ解除できる仕様の遠隔操作装置とが存在し、
各遠隔操作装置は、操作信号にそれぞれの仕様を特定する特定信号を付加し、
前記空気調和機は、特定信号に基づいてそれぞれの仕様を判別すること
を特徴とする請求項２に記載の空気調和システム。
【請求項４】
前記運転開始時刻及び／又は前記運転停止時刻は、絶対的な時刻及び／又は現時刻からの相対的な時間であること
を特徴とする請求項２又は請求項３に記載の空気調和システム。
【請求項５】
仕様の異なる複数の機器に操作信号を送信して操作を行う遠隔操作装置において、
その仕様を特定する特定信号を前記操作信号に付加する手段を備えること
を特徴とする遠隔操作装置。
【請求項６】
外部から送信された操作信号に基づいて運転を行う空気調和機において、
前記操作信号には、送信元の仕様を特定する特定信号が付加されており、
同一の機能に対して複数の異なる設定仕様を記憶する手段と、
送信された操作信号に付加された特定信号に基づいて、前記複数の設定仕様のうちから適合する設定仕様を選択する手段と
を備えることを特徴とする空気調和機。
【発明の詳細な説明】
【技術分野】
【０００１】
本発明は、遠隔操作装置の機能が本来のものと異なっている場合であっても、遠隔操作装置の操作通りの機能の設定を行える空気調和システム、遠隔操作装置及び空気調和機に関する。
【背景技術】
【０００２】
従来の空気調和システムにおいては、空調室内機（以下、室内機）と、室内機の運転操作を行うための遠隔操作装置とを備えたものがある。この空気調和システムでは、利用者が遠隔操作装置を操作することによって、室内機（この空気調和機が、室内機と空調室外機（以下、室外機）とを備えたものであれば、室内機及び室外機）の動作が制御される。ところで、空気調和機には、冷房、暖房、除湿の３モードのもの、自動、冷房、暖房、及び除湿の４モードのものなどがあり、その機種毎に運転モードなどが相違している。したがって、機種に適合した遠隔操作装置が必要であった。
【０００３】
そこで、遠隔操作装置から機種別情報を室内機に送信し、室内機が遠隔操作装置から送信された機種別情報を内部の機種別情報と照合し、異なる場合には変更信号（機種設定要求信号）を遠隔操作装置へ送信し、遠隔操作装置は、変更信号に基づいて室内機の機種に適合するように変更した信号を室内機へ送信することにより、仕様の相違する複数の機種に対応できるようにした技術が開示されている（例えば、特許文献１参照。）。
【特許文献１】特開２００３−１４８７９０号公報
【発明の開示】
【発明が解決しようとする課題】
【０００４】
しかしながら、特許文献１に記載の技術は、遠隔操作装置から送信される信号を室内機に適合するように変更するものであり、遠隔操作装置側に特徴的な機能を、仕様の相違する複数の機種に対応させることはできなかった。例えば、空気調和機用の遠隔操作装置には、運転開始時刻、運転停止時刻、及び指定時間切りタイマー処理を個別に設定でき、また、設定したタイマー処理の取り消し（解除）も個別に行うことができるプログラムタイマー設定機種と、運転開始の指定時間又は運転停止の指定時間のいずれか１つの設定のみ可能な１モードタイマー設定機種、さらに上述したプログラムタイマー設定ができるが、タイマー処理の解除は１度の処理で全てが取り消される機種など、様々な機種が存在している。
【０００５】
したがって、遠隔操作装置のタイマー仕様が異なるたびに、それぞれの遠隔操作装置に対応できるよう、空気調和機本体（マイコン）のプログラムを変更したり、ジャンパー設定を変更したり、または、不揮発性メモリなどに記憶されるタイマー制御データを工場出荷時に変更させるなどによりタイマー仕様の違いに対応していた。
【０００６】
本発明は斯かる事情に鑑みてなされたものであり、遠隔操作装置の機能が本来のものと異なっている場合であっても、遠隔操作装置の操作通りの機能の設定を行える空気調和システム、遠隔操作装置及び空気調和機の提供を目的とする。
【０００７】
また本発明は、空気調和機の運転開始時刻及び運転停止時刻の両方を設定できる仕様の遠隔操作装置と、空気調和機の運転開始時刻又は運転停止時刻の一方しか設定できない仕様の遠隔操作装置とが存在した場合であっても、遠隔操作装置の操作通りのタイマー設定を行える空気調和システムの提供を目的とする。
【０００８】
さらに本発明は、空気調和機に設定されている運転開始時刻及び運転停止時刻の両方を同時に解除できる仕様の遠隔操作装置と、空気調和機に設定されている運転開始時刻又は運転停止時刻を１つずつ解除できる仕様の遠隔操作装置とが存在した場合であっても、遠隔操作装置の操作通りのタイマー設定の解除を行える空気調和システムの提供を目的とする。
【課題を解決するための手段】
【０００９】
本発明に係る空気調和システムは、仕様の異なる複数の遠隔操作装置から空気調和機へ操作信号を送信して、前記空気調和機の操作を行う空気調和システムにおいて、前記遠隔操作装置は、該遠隔操作装置の仕様を特定する特定信号を前記操作信号に付加する手段を備え、前記空気調和機は、同一の機能に対して複数の異なる設定仕様を記憶する手段と、前記遠隔操作装置から送信された操作信号に付加された特定信号に基づいて、前記複数の設定仕様のうちから適合する設定仕様を選択する手段とを備えることを特徴とする。
【００１０】
本発明に係る空気調和システムは、前記空気調和機は、運転の開始及び停止を指定時刻に行うタイマー機能を有しており、前記複数の遠隔操作装置には、前記空気調和機の運転開始時刻及び運転停止時刻の両方を設定できる仕様の遠隔操作装置と、前記空気調和機の運転開始時刻又は運転停止時刻の一方しか設定できない仕様の遠隔操作装置とが存在し、各遠隔操作装置は、操作信号にそれぞれの仕様を特定する特定信号を付加し、前記空気調和機は、特定信号に基づいてそれぞれの仕様を判別することを特徴とする。
【００１１】
本発明に係る空気調和システムは、前記複数の遠隔操作装置には、前記空気調和機に設定されている運転開始時刻及び運転停止時刻の両方を同時に解除できる仕様の遠隔操作装置と、前記空気調和機に設定されている運転開始時刻又は運転停止時刻を１つずつ解除できる仕様の遠隔操作装置とが存在し、各遠隔操作装置は、操作信号にそれぞれの仕様を特定する特定信号を付加し、前記空気調和機は、特定信号に基づいてそれぞれの仕様を判別することを特徴とする。
【００１２】
本発明に係る空気調和システムは、前記運転開始時刻及び／又は前記運転停止時刻は、絶対的な時刻及び／又は現時刻からの相対的な時間であることを特徴とする。
【００１３】
本発明に係る遠隔操作装置は、仕様の異なる複数の機器に操作信号を送信して操作を行う遠隔操作装置において、その仕様を特定する特定信号を前記操作信号に付加する手段を備えることを特徴とする。
【００１４】
本発明に係る空気調和機は、外部から送信された操作信号に基づいて運転を行う空気調和機において、前記操作信号には、送信元の仕様を特定する特定信号が付加されており、同一の機能に対して複数の異なる設定仕様を記憶する手段と、送信された操作信号に付加された特定信号に基づいて、前記複数の設定仕様のうちから適合する設定仕様を選択する手段とを備えることを特徴とする。
【００１５】
本発明にあっては、遠隔操作装置が、遠隔操作装置（送信元）の仕様と特定する特定信号を操作信号に付加して空気調和機へ送信する。空気調和機は、遠隔操作装置から送信された操作信号に付加された特定信号に基づいて、記憶している複数の設定仕様のうちから特定信号に適合する設定仕様を選択する。これにより、遠隔操作装置の機能が、空気調和機本来のものと異なっている場合であっても、空気調和機には、遠隔操作装置の操作通りの機能が設定される。
【００１６】
本発明にあっては、空気調和機の運転開始時刻及び運転停止時刻の両方を設定できる仕様の遠隔操作装置と、空気調和機の運転開始時刻又は運転停止時刻の一方しか設定できない仕様の遠隔操作装置とが存在した場合であっても、それぞれの遠隔操作装置が操作信号にそれぞれの仕様を特定する特定信号を付加することによって、空気調和機は、特定信号に基づいてそれぞれの仕様を判別することができる。これにより、遠隔操作装置のタイマー機能が、空気調和機本来のものと異なっている場合であっても、遠隔操作装置の操作通りのタイマー設定を行うことができる。
【００１７】
本発明にあっては、空気調和機に設定されている運転開始時刻及び運転停止時刻の両方を同時に解除できる仕様の遠隔操作装置と、空気調和機に設定されている運転開始時刻又は運転停止時刻を１つずつ解除できる仕様の遠隔操作装置とが存在した場合であっても、それぞれの遠隔操作装置が操作信号にそれぞれの仕様を特定する特定信号を付加することによって、空気調和機は、特定信号に基づいてそれぞれの仕様を判別することができる。これにより、遠隔操作装置のタイマー機能の解除方法が、空気調和機本来のものと異なっている場合であっても、遠隔操作装置の操作通りのタイマー設定の解除を行うことができる。
【００１８】
本発明にあっては、運転開始時刻及び／又は前記運転停止時刻が、絶対的な時刻及び／又は現時刻からの相対的な時間であることにより、例えば、帰宅時間に合わせて空気調和機を事前に運転させて室内温度を調整しておきたい場合には絶対的な時刻を指定し、睡眠時などのように現在の時刻から何時間後に運転を停止するかの設定を行いたい場合には現時刻からの相対的な時間を指定でき、目的に合わせてタイマー処理を選択することができる。
【発明の効果】
【００１９】
本発明によれば、遠隔操作装置が、遠隔操作装置（送信元）の仕様と特定する特定信号を操作信号に付加して空気調和機へ送信し、空気調和機は、遠隔操作装置から送信された操作信号に付加された特定信号に基づいて、記憶している複数の設定仕様のうちから特定信号に適合する設定仕様を選択する構成としたので、遠隔操作装置の機能が、空気調和機本来のものと異なっている場合であっても、遠隔操作装置の操作通りの機能の設定を行うことができる。空気調和機本体の設定を変更することなく、遠隔操作装置から送信される信号のみで遠隔操作装置に特有の機能が選択されるので、生産時に空気調和機本体を遠隔操作装置の仕様に応じて変更する必要はなく、生産効率が向上する。
【００２０】
本発明によれば、空気調和機の運転開始時刻及び運転停止時刻の両方を設定できる仕様の遠隔操作装置と、空気調和機の運転開始時刻又は運転停止時刻の一方しか設定できない仕様の遠隔操作装置とが存在した場合であっても、それぞれの遠隔操作装置が操作信号にそれぞれの仕様を特定する特定信号を付加することによって、空気調和機は、特定信号に基づいてそれぞれの仕様を判別することができ、遠隔操作装置のタイマー機能が、空気調和機本来のものと異なっている場合であっても、遠隔操作装置の操作通りのタイマー設定を行うことができる。
【００２１】
本発明によれば、空気調和機に設定されている運転開始時刻及び運転停止時刻の両方を同時に解除できる仕様の遠隔操作装置と、空気調和機に設定されている運転開始時刻又は運転停止時刻を１つずつ解除できる仕様の遠隔操作装置とが存在した場合であっても、それぞれの遠隔操作装置が操作信号にそれぞれの仕様を特定する特定信号を付加することによって、空気調和機は、特定信号に基づいてそれぞれの仕様を判別することができ、遠隔操作装置のタイマー機能の解除方法が、空気調和機本来のものと異なっている場合であっても、遠隔操作装置の操作通りのタイマー設定の解除を行うことができる。
【００２２】
本発明によれば、運転開始時刻及び／又は前記運転停止時刻が、絶対的な時刻及び／又は現時刻からの相対的な時間であることにより、例えば、帰宅時間に合わせて空気調和機を事前に運転させて室内温度を調整しておきたい場合には絶対的な時刻を指定し、睡眠時などのように現在の時刻から何時間後に運転を停止するかの設定を行いたい場合には現時刻からの相対的な時間を指定でき、目的に合わせてタイマー処理を選択することができる等、優れた効果を奏する。
【発明を実施するための最良の形態】
【００２３】
以下、本発明をその実施の形態を示す図面に基づいて詳述する。
【００２４】
図１は本発明に係る空気調和システムの構成を示す模式図、図２は本発明に係る空気調和システムの構成を示すブロック図である。本発明に係る空気調和システムは、室内に設置する室内機１０と室外に設置する室外機２０とから構成された空気調和機１と、仕様の異なる複数の遠隔操作装置（以下、リモコンという）３，５，７とから構成されている。
【００２５】
室内機１０は、ＣＰＵで構成された制御部１１を備えている。制御部１１は、記憶部１２、室内熱交換器１４、室内送風機１５、室内温度検出部１６、室内湿度検出部１７、操作信号受信部１８などと接続され、これら各部を制御し、記憶部１２に予め格納されているコンピュータプログラム（不図示）に従って種々の機能を実行する。
【００２６】
記憶部１２には、上述したコンピュータプログラムのほかに、同一の機能に対して複数の異なる設定仕様が記憶されており、制御部１１は、リモコン３，５，７から送信された操作信号に付加された特定信号に基づいて、複数の設定仕様のうちから特定信号に適合する設定仕様を選択する。
【００２７】
一方、室外機２０は、室外熱交換器２１、室外送風機２２、室外温度検出部２３、四方切換弁２４、圧縮機２５、減圧装置２６などを備え、室内機１０の制御部１１によって制御される。室外機２０は、四方切換弁２４を介して圧縮機２５を室内機１０（室内熱交換器１４）に接続するとともに、別ラインで減圧装置２６を室内機１０（室内熱交換器１４）に接続する。
【００２８】
例えば、冷房運転時は、制御部１１に制御されて、圧縮機２５、四方切換弁２４、室外熱交換器２１、減圧装置２６、室内熱交換器１４が順次連結され、圧縮機２５を駆動させて、室内熱交換器１４を蒸発器として機能させるとともに、室外熱交換器２１を凝縮器として機能させる。一方、暖房運転時は、制御部１１に制御されて、圧縮機２５、四方切換弁２４、室内熱交換器１４、減圧装置２６、室外熱交換器２１が順次連結され、圧縮機２５を駆動させて、室内熱交換器１４を凝縮器として機能させるとともに、室外熱交換器２１を蒸発器として機能させる。
【００２９】
リモコン３，５，７は、ＣＰＵで構成された制御部３１を備えている。制御部３１は、記憶部３２、操作部３３、表示部３４、操作信号送信部３５などと接続され、これら各部を制御し、記憶部３２に予め格納されているコンピュータプログラム（不図示）に従って種々の機能を実行する。
【００３０】
記憶部３２には、上述したコンピュータプログラムのほかに、各リモコンの仕様を特定する第１フラグ情報及び第２フラグ情報が記憶されている。本例では、第１フラグ情報がプログラムタイマー予約仕様であるか否かを特定するための情報であり、第２フラグ情報がタイマー個別取り消し仕様であるか否かを特定するための情報である。
【００３１】
操作部３３は、空気調和機１を操作するための各種のボタンキー（以下、単にボタンという）を備えている（詳細は後述する）。利用者によってボタンが押下されることで、制御部３１は、押下されたボタンに基づいて、そのリモコンの仕様を特定する特定信号を操作信号に付加して、操作信号送信部３５から無線（電波、赤外線など）の形態で空気調和機１へ送信する。より詳細には、記憶部３２に記憶されている第１フラグ情報及び第２フラグ情報に基づいて特定信号を生成して操作信号に付加する。
【００３２】
表示部３４は、液晶ディスプレイ又はＬＥＤディスプレイなどの表示デバイスで構成されており、空気調和機１の運転モード状況及び設定温度などの動作状態の表示などを行う。なお、表示部３４をタッチパネル方式とすることにより、操作部３３の各種のボタンのうちの一部又は全部を代用することも可能である。
【００３３】
図３は、プログラムタイマー設定機種に係るリモコンの模式図である。
プログラムタイマー設定機種に係るリモコン（以下、プログラムリモコン）３は、運転開始時刻、運転停止時刻、及び指定時間切りタイマーを個別に設定でき、かつ、タイマーの解除を個別に実行することができるリモコンである。
【００３４】
プログラムリモコン３は、その表部に基本的操作を行うための各種のボタン３３１，３３２，…，３３８と、運転モード状況及び設定温度などを表示する表示部３４とを備えている（図３（ａ））。
“自動”ボタン３３１は、設定温度を設定することによって、暖房又は冷房のいずれを行うべきかを判断して運転を行う自動モードの運転開始を指示するためのものである。“暖房”ボタン３３２は暖房運転の開始を、“冷房”ボタン３３３は冷房運転の開始を指示するためのものである。“除湿”ボタン３３４は除湿運転の開始を指示するためのものである。また、“温度”ボタン３３５は、室内温度を設定するためのものであり、“湿度”ボタン３３６は、室内湿度を設定するためのものである。
【００３５】
“指定時間切タイマー”ボタン（ここでは、“おやすみ切タイマー”ボタン）３３７は、現時刻から何時間後に空気調和機１の運転を停止するかの設定を行うものである。また、“停止”ボタン３３８は、上述したいずれの運転モードで運転されている場合であっても運転の停止を指示するものである。
【００３６】
また、プログラムリモコン３は、その表部の一部が可動式になっており、付加的操作（ここでは、タイマー運転）を行うための各種のボタン３４０，３４１，…，３４４を備えている（図３（ｂ））。
【００３７】
利用者が“入タイマー”ボタン３４０を押下して、空気調和機１の運転開始時刻の設定を行うことができる。具体的には、“すすむ”ボタン３４２及び“もどる”ボタン３４３を適宜押下して、運転を開始したい時刻（例えば午前６：００）に設定した後、“予約”ボタン３４４を押下して、運転開始時刻を設定することができる。設定された運転開始時刻を利用者が確認できるように、表示部３４に運転開始時刻が表示される（図４（ａ））。
【００３８】
また、利用者が“切タイマー”ボタン３４１を押下して、空気調和機１の運転停止時刻の設定を行うことができる。具体的には、“すすむ”ボタン３４２及び“もどる”ボタン３４３を適宜押下して、運転を停止したい時刻（例えば午後１１：００）に設定した後、“予約”ボタン３４４を押下して、運転停止時刻を設定することができる。設定された運転開始時刻を利用者が確認できるように、表示部３４に運転停止時刻が表示される（図４（ｂ））。なお、入タイマー及び切タイマーがともに設定されている場合、設定確認のための表示後は、設定された時刻が早いほうの時刻が優先して表示されるようになっている。
【００３９】
さらに、利用者が“指定時間切タイマー”（“おやすみ切タイマー”）ボタン３３７を押下して、現在の時刻から何時間後に空気調和機１の運転を停止するかの設定を行うことができる。例えば、１時間後に運転を停止するように設定することができ、この場合も、設定された内容を利用者が確認できるように、表示部３４に運転停止までの時間（ここでは１時間後）が表示される（図４（ｃ））。
【００４０】
上述したように、プログラムリモコン３は、入タイマー、切タイマー、指定時間切タイマーを個別に設定することができる。つまり、プログラムリモコン３を用いることによって、空気調和機１の運転に関するタイマー処理を複数設定することができる。
【００４１】
また、プログラムリモコン３においては、設定したタイマー処理を１つ毎に、取り消すことが可能である。例えば、利用者は、“切タイマー”ボタン３４１を押下して、設定したタイマー処理のうちの切タイマーのみを取り消すことができ、利用者が確認できるように表示部３４に表示していた切タイマーの内容が消去される（図４（ｄ））。このように、プログラムリモコン３は、複数のうちの１つのタイマー処理のみを個別に取り消すことができるので、設定を誤った場合、及び設定内容を変更する場合に有用である。
【００４２】
図５は、１モードタイマー設定機種に係るリモコンの模式図である。
１モードタイマー設定機種に係るリモコン（以下、１モードリモコン）５は、運転開始時間及び運転停止時間のうちの１つの設定が可能なリモコンである。
【００４３】
１モードリモコン５は、その表部に基本的操作を行うための各種のボタン３３２，３３３，３３４，３３５と、付加的操作（ここでは、タイマー運転）を行うための各種のボタン３５１，３５２と、運転モード状況及び設定温度などを表示する表示部３４とを備えている。
利用者が“入”ボタン３５１を押下して、現在の時刻から何時間後に空気調和機１の運転を開始するかの設定を行うことができる。“入”ボタン３５１を押下するごとに、例えば０．５時間ステップで時間がインクリメントされ、押下回数に応じて運転開始時間を設定することができる。また、設定された運転開始時間を利用者が確認できるように、表示部３４に運転開始時間（ここでは２時間後）が表示される（図６（ａ））。
【００４４】
また、利用者が“切”ボタン３５２を押下して、現在の時刻から何時間後に空気調和機１の運転を停止するかの設定を行うことができる。例えば、“切”ボタン３５２を押下するごとに０．５時間ステップで時間がインクリメントされ、押下回数に応じて運転停止時間を設定することができる。また、設定された運転停止時間を利用者が確認できるように、表示部３４に運転停止時間（ここでは１時間後）が表示される（図６（ｂ））。
【００４５】
なお、上述したように、予め運転開始時間が設定されている状態で、運転停止時間を設定した場合、運転停止時間が設定された時点で、予め設定されていた運転開始時間は取り消される。同様に、予め運転停止時間が設定されている状態で、運転開始時間を設定した場合、運転開始時間が設定された時点で、予め設定されていた運転停止時間は取り消される。また、タイマー処理（例えば切タイマー処理）が設定されている状態で、切タイマー設定から所定時間経過後（例えば、５秒間）に、“切”ボタン３５２を押下して、設定されている切タイマーを取り消すことができる（図６（ｃ））。このように、１モードリモコン５では、入タイマー及び切タイマーのうちのいずれか１つのタイマー処理のみを排他的に設定することができる。その他の構成はプログラムリモコン３と同様であるので、対応する部分には同一の符号を付してその詳細な説明を省略する。
【００４６】
図７は、プログラムタイマー設定機種に係る他のリモコンの模式図である。
プログラムタイマー設定機種に係る他のリモコン（以下、プログラムリモコン）７は、運転開始時刻、運転停止時刻、及び指定時間切りタイマーを個別に設定できるが、一度で全てのタイマー設定を取り消すことができるリモコンである。
【００４７】
プログラムリモコン７は、その表部に基本的操作を行うための各種のボタン及び付加的操作（ここでは、タイマー運転）を行うための各種のボタン３７１，３７２，…，３７５と、運転モード状況及び設定温度などを表示する表示部３４とを備えている。
利用者が“入タイマー”ボタン３７１を押下して、空気調和機１の運転開始時刻の設定を行うことができる。具体的には、“すすむ”ボタン３７３及び“もどる”ボタン３７４を適宜押下して、運転を開始したい時刻（例えば午前６：００）に設定した後、“予約／取消”ボタン３７５を押下して、運転開始時刻を設定することができる。設定された運転開始時刻を利用者が確認できるように、表示部３４に運転開始時刻が表示される（図８（ａ））。
【００４８】
また、利用者が“切タイマー”３７２を押下して、空気調和機１の運転停止時刻の設定を行うことができる。具体的には、“すすむ”ボタン３７３及び“もどる”ボタン３７４を適宜押下して、運転を停止したい時刻（例えば午後１１：００）に設定した後、“予約／取消”ボタン３７５を押下して、運転停止時刻を設定することができる。設定された運転停止時刻を利用者が確認できるように、表示部３４に運転停止時刻が表示される（図８（ｂ））。
【００４９】
上述したように、プログラムリモコン７は、入タイマー及び切タイマーを個別に設定することができる。つまり、プログラムリモコン７を用いることによって、空気調和機１の運転に関するタイマー処理を複数設定することができる。
【００５０】
また、プログラムリモコン７においては、設定したタイマー処理の設定を一度に全て取り消すことが可能である。例えば、利用者は、“予約／取消”ボタン３７５を押下して、設定したタイマー処理の全てを取り消すことができる（図８（ｃ））。
【００５１】
上述したように、空気調和機１には複数種のリモコン３，５，７が存在していることから、本発明では、各リモコン３，５，７の仕様を特定する特定信号を付加した操作信号を生成して、リモコン３，５，７から空気調和機１（操作信号受信部１８）へ送信する。
【００５２】
図９は、本発明に係る操作信号の送信情報を説明するための説明図である。
本発明に係る操作信号７０は、タイマー予約に係る情報か、又はタイマー取り消しに係る情報かのいずれの情報であるかを示す情報７１、タイマーモード（入タイマー、切タイマー、指定時間切タイマー）に係る情報７２、タイマー予約又はタイマー取り消しの時刻（時間を含む）を示す情報７３と、空気調和機の運転モード（例えば、自動、暖房、冷房、除湿）に係る情報７４、風量（例えば、強、弱、微）に係る情報７５、風向（例えば角度、スイング）に係る情報７６、プログラムタイマー予約仕様であるか否かを特定する第１フラグ情報７７、タイマー個別取り消し仕様であるか否かを特定する第２フラグ情報７８からなる。本発明の主旨は、第１フラグ情報及び第２フラグ情報を送信情報に追加することにより、空気調和機は、送信された操作信号のうちの第１フラグ情報及び第２フラグ情報に基づいてタイマー予約及び取り消しを可能としたことにある。
【００５３】
例えば、タイマー予約を行う場合、プログラムリモコンには第１フラグ情報“１”を付加し、１モードリモコンには第１フラグ情報“０”を付加するようにする。また、タイマー取り消すを行う場合、個別に指定したタイマーのみを取り消すときは第２フラグ情報“１”を付加し、入タイマー、切タイマーのいずれのリセット信号であっても全てのタイマー処理を取り消すときは第２フラグ情報“０”を付加する。具体的には、プログラムリモコン３は、第１フラグ情報“１”及び第２フラグ情報“１”を付加する。１モードリモコン５は、第１フラグ情報“０”及び第２フラグ情報“０”を付加する。プログラムリモコン７は、第１フラグ情報“１”及び第２フラグ情報“０”を付加する。これにより、空気調和機１は、各リモコン３，５，７から送信された操作信号から第１フラグ情報及び第２フラグ情報を抽出して、行うべき処理を決定することができる。
【００５４】
図１０は、空気調和機のタイマー処理に関するフローチャートである。
空気調和機１は、外部から送信された操作信号を操作信号受信部１８にて受信し、タイマー予約に係る情報であるか否かを判定する（ステップＳ１）。Ｓ１において、タイマー予約に係る情報であると判定された場合（Ｓ１：ＹＥＳ）、運転開始を設定する入タイマーに係る情報であるか否かを判定する（ステップＳ２）。
【００５５】
Ｓ２において、入タイマーに係る情報であると判定された場合（Ｓ２：ＹＥＳ）、操作信号に基づいて入タイマーの設定処理を行う（ステップＳ３）。そして、操作信号に付加された特定信号を抽出して、プログラムタイマー仕様であるか否かを判定する（ステップＳ４）。具体的には、Ｓ４の判定には特定信号の第１フラグ情報に基づいて行い、第１フラグ情報が“１”である場合はプログラムタイマー仕様であると判定し、第１フラグ情報が“１”以外（ここでは“０”）である場合はプログラムタイマー仕様でないと判定する。
【００５６】
Ｓ４において、プログラムタイマー仕様であると判定された場合（Ｓ４：ＹＥＳ）、タイマー処理を終了する。一方、プログラムタイマー仕様でないと判定された場合（Ｓ４：ＮＯ）、１モードタイマー仕様であることから、入タイマー以外の設定を取り消す必要があるので、切タイマー及び指定時間切タイマーの設定を取り消し（ステップＳ５）、タイマー処理を終了する。
【００５７】
Ｓ２において、入タイマーに係る情報でないと判定された場合（Ｓ２：ＮＯ）、運転停止を設定する切タイマーに係る情報であるか否かを判定する（ステップＳ６）。Ｓ６において、切タイマーに係る情報であると判定された場合（Ｓ６：ＹＥＳ）、操作信号に基づいて切タイマーの設定処理を行う（ステップＳ７）。そして、操作信号に付加された特定信号を抽出して、プログラムタイマー仕様であるか否かを判定する（ステップＳ８）。
【００５８】
Ｓ８において、プログラムタイマー仕様であると判定された場合（Ｓ８：ＹＥＳ）、タイマー処理を終了する。一方、プログラムタイマー仕様でないと判定された場合（Ｓ８：ＮＯ）、１モードタイマー仕様であることから、切タイマー以外の設定を取り消す必要があるので、入タイマー及び指定時間切タイマーの設定を取り消し（ステップＳ９）、タイマー処理を終了する。
【００５９】
Ｓ６において、切タイマーに係る情報でないと判定された場合（Ｓ６：ＮＯ）、指定時間に運転の停止を設定する指定時間切タイマーに係る情報であるか否かを判定する（ステップＳ１０）。Ｓ１０において、指定時間切タイマーに係る情報であると判定された場合（Ｓ１０：ＹＥＳ）、操作信号に基づいて指定時間切タイマーの設定処理を行う（ステップＳ１１）。そして、操作信号に付加された特定信号を抽出して、プログラムタイマー仕様であるか否かを判定する（ステップＳ１２）。
【００６０】
Ｓ１２において、プログラムタイマー仕様であると判定された場合（Ｓ１２：ＹＥＳ）、タイマー処理を終了する。一方、プログラムタイマー仕様でないと判定された場合（Ｓ１２：ＮＯ）、１モードタイマー仕様であることから、指定時間切タイマー以外の設定を取り消す必要があるので、入タイマー及び切タイマーの設定を取り消し（ステップＳ１３）、タイマー処理を終了する。
【００６１】
Ｓ１０において、指定時間切タイマーに係る情報でないと判定された場合（Ｓ１０：ＮＯ）、タイマー処理を終了する。また、操作信号は、タイマー予約に係る情報か、又はタイマー取り消しに係る情報かのいずれの情報であることから、Ｓ１において、タイマー予約に係る情報でないと判定された場合（Ｓ１：ＮＯ）、タイマー取り消しに係る情報であるため、タイマー取り消し処理を行う（ステップＳ２０）。
【００６２】
図１１は、空気調和機のタイマー取り消し処理に関するフローチャートである。
タイマー取り消し処理では、まず、入タイマーの取り消しに係る情報であるか否かを判定する（ステップＳ２１）。
Ｓ２１において、入タイマーの取り消しに係る情報であると判定された場合（Ｓ２１：ＹＥＳ）、操作信号に基づいて入タイマーの取り消し処理を行う（ステップＳ２２）。そして、操作信号に付加された特定信号を抽出して、タイマー個別取り消し仕様であるか否かを判定する（ステップＳ２３）。具体的には、Ｓ２３の判定には特定信号の第２フラグ情報に基づいて行い、第２フラグ情報が“１”である場合はタイマー個別取り消し仕様であると判定し、第２フラグ情報が“１”以外（ここでは“０”）である場合はタイマー個別取り消し仕様でないと判定する。
【００６３】
Ｓ２３において、タイマー個別取り消し仕様であると判定された場合（Ｓ２３：ＹＥＳ）、タイマー取り消し処理を終了する。一方、タイマー個別取り消し仕様でないと判定された場合（Ｓ２３：ＮＯ）、タイマー一括取り消し仕様であることから、入タイマー以外の設定も取り消す必要があるので、切タイマー及び指定時間切タイマーの設定を取り消し（ステップＳ２４）、タイマー取り消し処理を終了する。
【００６４】
Ｓ２１において、入タイマーの取り消しに係る情報でないと判定された場合（Ｓ２１：ＮＯ）、切タイマーの取り消しに係る情報であるか否かを判定する（ステップＳ２５）。Ｓ２５において、切タイマーの取り消しに係る情報であると判定された場合（Ｓ２５：ＹＥＳ）、操作信号に基づいて切タイマーの取り消し処理を行う（ステップＳ２６）。そして、操作信号に付加された特定信号を抽出して、タイマー個別取り消し仕様であるか否かを判定する（ステップＳ２７）。
【００６５】
Ｓ２７において、タイマー個別取り消し仕様であると判定された場合（Ｓ２７：ＹＥＳ）、タイマー取り消し処理を終了する。一方、タイマー個別取り消し仕様でないと判定された場合（Ｓ２７：ＮＯ）、タイマー一括取り消し仕様であることから、切タイマー以外の設定も取り消す必要があるので、入タイマー及び指定時間切タイマーの設定を取り消し（ステップＳ２８）、タイマー取り消し処理を終了する。
【００６６】
Ｓ２５において、切タイマーの取り消しに係る情報でないと判定された場合（Ｓ２５：ＮＯ）、指定時間切タイマーの取り消しに係る情報であるか否かを判定する（ステップＳ２９）。Ｓ２９において、指定時間切タイマーの取り消しに係る情報であると判定された場合（Ｓ２９：ＹＥＳ）、操作信号に基づいて指定時間切タイマーの取り消し処理を行う（ステップＳ３０）。そして、操作信号に付加された特定信号を抽出して、タイマー個別取り消し仕様であるか否かを判定する（ステップＳ３１）。
【００６７】
Ｓ３１において、タイマー個別取り消し仕様であると判定された場合（Ｓ３１：ＹＥＳ）、タイマー取り消し処理を終了する。一方、タイマー個別取り消し仕様でないと判定された場合（Ｓ３１：ＮＯ）、タイマー一括取り消し仕様であることから、指定時間切タイマー以外の設定も取り消す必要があるので、入タイマー及び切タイマーの設定を取り消し（ステップＳ３２）、タイマー取り消し処理を終了する。
【００６８】
Ｓ２９において、指定時間切タイマーの取り消しに係る情報でないと判定された場合（Ｓ２９：ＮＯ）、タイマー取り消し処理を終了する。
【００６９】
上述したように、リモコンのタイマー設定方法が異なっても、操作信号に特定情報である第１フラグ情報及び第２フラグ情報を付加して、リモコン３，５，７から空気調和機１へ送信することにより、空気調和機１のプログラムを変更したり、あるいはジャンパー設定、または、各リモコンに対応するタイマー制御の設定を用意することなく、本来のリモコンと異なるリモコンでタイマー設定してもリモコンの操作に基づいたタイマー設定を行うことができる。
【００７０】
なお、実施の形態では、空気調和機が室内機及び室外機から構成されるセパレート型のものについて説明したが、室内機及び室外機が一体となった一体型（ウィンドウ型）であってもよい。
【図面の簡単な説明】
【００７１】
【図１】本発明に係る空気調和機の構成を示す模式図である。
【図２】本発明に係る空気調和機の構成を示すブロック図である。
【図３】プログラムタイマー設定機種に係るリモコンの模式図である。
【図４】リモコンの表示部に表示される内容の一例を示す図である。
【図５】１モードタイマー設定機種に係るリモコンの模式図である。
【図６】リモコンの表示部に表示される内容の一例を示す図である。
【図７】プログラムタイマー設定機種に係る他のリモコンの模式図である。
【図８】リモコンの表示部に表示される内容の一例を示す図である。
【図９】本発明に係る操作信号の送信情報を説明するための説明図である。
【図１０】空気調和機のタイマー処理に関するフローチャートである。
【図１１】空気調和機のタイマー取り消し処理に関するフローチャートである。
【符号の説明】
【００７２】
１  空気調和機
３，５  プログラムリモコン
７  １モードリモコン
１０  室内機
１１  制御部
１２  記憶部
１４  室内熱交換器
１５  室内送風機
１６  室内温度検出部
１７  室内湿度検出部
１８  操作信号受信部
２０  室外機
２１  室外熱交換器
２２  室外送風機
２３  室外温度検出部
２４  四方切換弁
２５  圧縮機
２６  減圧装置
【図１】
2006194523.tif 000003
【図２】
2006194523.tif 000004
【図３】
2006194523.tif 000005
【図４】
2006194523.tif 000006
【図５】
2006194523.tif 000007
【図６】
2006194523.tif 000008
【図７】
2006194523.tif 000009
【図８】
2006194523.tif 000010
【図９】
2006194523.tif 000011
【図１０】
2006194523.tif 000012
【図１１】
2006194523.tif 000013